【手続補正書】
【提出日】平成26年5月13日(2014.5.13)
【手続補正１】
【補正対象書類名】特許請求の範囲
【補正対象項目名】全文
【補正方法】変更
【補正の内容】
【特許請求の範囲】
【請求項１】
上部に高さが４メートル以上１５メートル以下（望ましくは１０メートル）の密閉され
た空気層と底部に重心を下方に移動するための海水又は淡水を内在する浮体部材と、前記浮体部材の浮力により構造物の重量を支えることを特徴とする浮体構造物
【請求項２】
上部に高さが４メートル以上１５メートル以下（望ましくは１０メートル）の密閉され
た空気層と底部に重心を下方に移動するための海水又は淡水を内在するブロック状浮体部
材と、前記ブロック状浮体部材の多数により構成される多数浮体部材と、前記多数浮体部材の上部に前記多数浮体部材の上端部と接触する上端部接触部及び前記上端部接触部の上部に上部構造体を具備すると共に前記多数浮体部材の外周により貫通され海中の一定の深さまでの垂直開口を備えた下部貫通管を具備する上部浮体構造体を備え、前記多数浮体部材の浮力により前記上部浮体構造体の重量を支えることを特徴とする浮体構造物
【請求項３】
（旧請求項４）
前記浮体部材或いは前記多数浮体部材が垂直開口を具備する環状浮体部材であることを
特徴とする請求項1〜２のいずれか一項に記載の浮体構造物
【請求項４】
（旧請求項５）
上部に高さが４メートル以上１５メートル以下（望ましくは１０メートル）の密閉され
た空気層と底部に重心を下方に移動するための海水又は淡水を内在する浮体部材と、前記浮体部材の下端部と接触する下端部接触部を具備すると共に前記多数浮体部材の周辺部により貫通される上部貫通管を具備する海中構造物と、前記浮体部材の上部に前記浮体部材の上端部と接触する上端部接触部及び前記上端部接触部の上部に上部構造体を具備すると共に前記海中構造物の前記上部貫通管の外周により貫通され海中の一定の深さまでの垂直開口を備えた下部貫通管を具備する上部浮体構造体とを具備し、前記浮体部材の浮力により前記上部浮体構造体の重量を支えることを特徴とする浮体構造物
【請求項５】
（旧請求項６）
上部に高さが４メートル以上１５メートル以下（望ましくは１０メートル）の密閉され
た空気層と底部に重心を下方に移動するための海水又は淡水を内在するブロック状浮体部
材と、前記ブロック状浮体部材の多数により構成される多数浮体部材と、前記多数浮体部材の下端部と接触する下端部接触部を具備すると共に前記多数浮体部材の周辺部により貫通される上部貫通管を具備する海中構造物と、前記多数浮体部材の上部に前記多数浮体部材の上端部と接触する上端部接触部及び前記上端部接触部の上部に上部構造体を具備すると共に前記海中構造物の前記上部貫通管の外周により貫通され海中の一定の深さまでの垂直開口を備えた下部貫通管を有する上部浮体構造体とを具備し、前記多数浮体部材の浮力により前記上部浮体構造体の重量を支えることを特徴とする浮体構造物
【請求項６】
（旧請求項９）
前記浮体部材或いは前記多数浮体部材が垂直開口を具備する環状浮体部材であることを
特徴とする請求項４〜５のいずれか一項に記載の浮体構造物
【請求項７】
（旧請求項１０）
前記浮体部材或いは多数浮体部材は海面と平行な平面で前記空気層の高さ以上の2次元
最小幅を有することを特徴とする請求項１〜６のいずれか一項に記載の浮体構造物
【請求項８】
（旧請求項１２）
上部に高さが４メートル以上１５メートル以下（望ましくは１０メートル）の密閉され
た空気層と底部に重心を下方に移動するための海水又は淡水を内在する浮体部材と、前記浮体部材の下端部と接触する下端部接触部と前記浮体部材の周辺部により貫通される上部中空貫通管部とを有する密閉された空気層を内在する海中中空部材と、前記浮体部材の上部に前記浮体部材の上端部と接触する上端部接触部及び前記上端部接触部材の上部に上部構造体を具備すると共に前記海中中空部材の前記上部中空貫通管部の外周により貫通され海中の一定の深さまでの垂直開口を備えた下部貫通管を有する上部浮体構造体とを具備し、前記浮体部材及び前記海中中空部材の浮力により前記上部浮体構造体の重量を支えることを特徴とする浮体構造物
【請求項９】
（旧請求項１３）
上部に高さが４メートル以上１５メートル以下（望ましくは１０メートル）の密閉され
た空気層と底部に重心を下方に移動するための海水又は淡水を内在するブロック状浮体部
材と、前記ブロック状浮体部材の多数により構成される多数浮体部材と、前記多数浮体部材の下端部と接触する下端部接触部と前記浮体部材の周辺部により貫通される上部中空貫通管部とを有する密閉された空気層を内在する海中中空部材と、前記多数浮体部材の上部に前記多数浮体部材の上端部と接触する上端部接触部及び前記上端部接触部材の上部に上部構造体を具備すると共に前記海中中空部材の前記上部中空貫通管部の外周により貫通され海中の一定の深さまでの垂直開口を備えた下部貫通管を有する上部浮体構造体とを具備し、前記多数浮体部材及び前記海中中空部材の浮力により前記上部浮体構造体の重量を支えることを特徴とする浮体構造物
【請求項１０】
（旧請求項１５）
前記浮体部材或いは前記多数浮体部材及び前記海中中空部材が垂直開口を具備する環状
浮体部材或いは環状多数浮体部材及び環状海中中空部材であることを特徴とする請求項８〜９のいずれか一項に記載の浮体構造物
【請求項１１】
（旧請求項１６）
少なくとも上端部の一部に開口を備え上部に高さが４メートル以上１５メートル以下の
空気層（望ましくは１０メートル）と底部に重心を下方に移動するための海水又は淡水を
内在する容器状浮体部材と、前記容器状浮体部材の上端部と接触する上端部接触部と前記上端部接触部の上部に上部構造体を具備すると共に前記容器状浮体部材の周辺部により貫通され海中の一定の深さまでの垂直開口を備えた下部貫通管を具備する上部浮体構造体とを備え、容器状浮体部材の浮力により前記上部浮体構造体の重量を支えることを特徴とする浮体構造物
【請求項１２】
（旧請求項１７）
少なくとも上端部の一部に開口を備え上部に高さが４メートル以上１５メートル以下の
空気層（望ましくは１０メートル）と底部に重心を下方に移動するための海水又は淡水を
内在するブロック状容器状浮体部材と、前記ブロック状容器状浮体部材の多数により構成される多数容器状浮体部材と、前記多数容器状浮体部材の上端部と接触する上端部接触部と前記上端部接触部の上部に上部構造体を具備すると共に前記多数容器状浮体部材の周辺部により貫通され海中の一定の深さまでの垂直開口を備えた下部貫通管を具備する上部浮体構造体とを備え、前記多数容器状浮体部材の浮力により前記上部浮体構造体の重量を支えることを特徴とする浮体構造物
【請求項１３】
（旧請求項１９）
前記容器状浮体部材或いは前記多数容器状浮体部材が垂直開口を具備する環状浮体部材
であることを特徴とする請求項１１〜１２のいずれか一項に記載の海上浮体構造物
或いは洋上浮体構造物
【請求項１４】
（旧請求項２０）
前記容器状浮体部材或いは多数容器状浮体部材は海面と平行な平面で前記空気層の高
さ以上の2次元最小幅を有することを特徴とする請求項１１〜１３のいずれか一項に記載の浮体構造物
【請求項１５】
（旧請求項２１）
前記下部貫通管を海中で貫通する海中中空部材を具備し、前記容器状浮体部材或いは前記多数容器状浮体部材及び前記海中中空部材の浮力により前記上部浮体構造体の重量を支えることを特徴とする請求項１１〜１４のいずれか一項に記載の浮体構造物
【請求項１６】
（旧請求項２２）
海中に通ずる垂直開口を具備し密閉された空気層を内在するする浮体周辺部材と、底
部に重心を下方に下げるための海水又は淡水と前記海水又は前記淡水の上部に高さが４メ
ートル以上１５メートル以下（望ましくは１０メートル）の密閉された空気層を内在す
ると共に海面と平行な平面で前記空気層の高さ以上の2次元最小幅を有し前記垂直開口を
貫通して上端部が前記浮体周辺部材の上端部より高く上下に移動可能な浮体部材と、前記浮体部材の上端部と接触する上端部接触部及び前記上端部接触部の上部に上部構造体を具備すると共に前記浮体周辺部材の外周部により貫通される垂直開口を備えた下部貫通管を具備する上部浮体構造体とを備え、前記浮体部材の浮力により前記上部浮体構造体の重量を支えることを特徴とする浮体構造物
【請求項１７】
（旧請求項２３）
密閉された空気層を内在するブロック状周辺浮体部材と、前記ブロック状浮体周辺部材の多数により構成され海中に通ずる垂直開口を具備する多数浮体周辺部材と、底部に重心を下方に下げるための海水又は淡水と前記海水又は前記淡水の上部に浮力を発生させるための高さが４メートル以上１５メートル以下（望ましくは１０メートル）の密閉された空気層とを内在し上端部が前記多数浮体周辺部材の上端部より高いブロック状浮体部材と、前記ブロック状浮体部材の多数により構成され前記垂直開口を貫通して上下に移動可能な多数浮体部材と、前記多数浮体部材の上端部と接触する上端部接触部及び前記上端部接触部の上部に上部構造体を具備すると共に前記多数浮体周辺部材の外周部により貫通される垂直開口を備えた下部貫通管を具備する上部浮体構造体とを備え、前記多数浮体部材の浮力により前記上部浮体構造体の重量を支えることを特徴とする浮体構造物
【請求項１８】
（旧請求項２４）
上部に高さが４メートル以上１５メートル以下（望ましくは１０メートル）の密閉され
た空気層と底部に重心を下方に移動するための海水又は淡水を内在するとともに海中に通
ずる垂直開口を具備する浮体周辺部材と、前記浮体周辺部材の下端部と接触する下端部接
触部を具備すると共に前記垂直開口を貫通し海上の一定の高さの中央柱と前記浮体周辺部
材の周辺部により貫通される上部貫通管を具備する例えば比重が海水より小さい材料による海中構造物と、前記浮体周辺部材の上端部と接触する上端部接触部及び前記上端部接触部の上部に前記中央柱を貫通する上部構造体を具備すると共に前記海中構造物の前記上部貫通管により貫通される垂直開口を備えた下部海中貫通管を具備する上部浮体構造体と、前記上部浮体構造体の前記下部海中貫通管を貫通し密閉された空気層を内在する海中中空部材とを備え、前記浮体周辺部材及び前記海中中空部材の浮力により前記上部浮体構造体の重量を支えることを特徴とする浮体構造物
【請求項１９】
（旧請求項２５）
上部に高さが４メートル以上１５メートル以下（望ましくは１０メートル）の密閉され
た空気層と底部に重心を下方に移動するための淡水を内在すると共に海面と平行な平面で
前記空気層の高さ以上の2次元最小幅を有する浮体部材と、前記浮体部材の上部に前記浮体部材の上端部と接触する上端部接触部及び前記上端部接触部の上部に上部構造体を具備すると共に前記浮体部材の周辺部により貫通され海中の一定の深さまでの垂直開口を備えた下部貫通管を具備する上部浮体構造体と、前記浮体部材の前記淡水をくみ上げる淡水くみあげ手段を具備し、前記浮体部材の浮力により前記上部浮体構造体の重量を支えることを特徴とし、海上浮体住宅或いは洋上浮体住宅を構成する浮体構造物
【請求項２０】
（旧請求項２６）
上部に高さが４メートル以上１５メートル以下（望ましくは１０メートル）の密閉され
た空気層と底部に重心を下方に移動するための淡水を内在するブロック状浮体部材と、前記ブッロク状浮体部材の多数で構成される海面と平行な平面で前記空気層の高さ以上の2次元最小幅を有する多数浮体部材と、前記多数浮体部材の上部に前記多数浮体部材の上端部と接触する上端部接触部及び前記上端部接触部の上部に上部構造体を具備すると共に前記多数浮体部材の周辺部により貫通され海中の一定の深さまでの垂直開口を備えた下部貫通管を具備する上部浮体構造体と、前記多数浮体部材の前記淡水をくみ上げる淡水くみ上げ手段とを具備し、前記多数浮体部材の浮力により前記上部浮体構造体の重量を支えることを特徴とし海上浮体住宅或いは洋上浮体住宅を構成する浮体構造物
【請求項２１】
（旧請求項２７）
上部に高さが４メートル以上１５メートル以下（望ましくは１０メートル）の密閉され
た空気層と底部に重心を下方に移動するための淡水を内在するブロック状浮体部材と、前記ブッロク状浮体部材の多数で構成され海面と平行な平面で前記空気層の高さ以上の2次元最小幅を有する多数浮体部材と、前記多数浮体部材の下端部と接触する下端部接触部を具備すると共に前記多数浮体部材の周辺部により貫通される上部貫通管を具備する海中構造物と、前記多数浮体部材の上部に前記多数浮体部材の上端部と接触する上端部接触部及び前記上端部接触部の上部に上部構造体を具備すると共に前記海中構造物の前記上部貫通管の周囲により貫通され海中の一定の深さまでの垂直開口を備えた下部貫通管を具備する上部浮体構造体と、前記多数浮体部材の前記淡水をくみ上げる淡水をくみ上げ手段とを具備し、前記多数浮体部材の浮力により前記上部浮体構造体の重量を支えることを特徴とし、海上浮体住宅或いは洋上浮体住宅を構成する浮体構造物
【請求項２２】
（旧請求項２８）
前記下部貫通管を海中で貫通する海中中空部材（例えば、中空箱体、中空袋体、又は中
空膜体）を具備し、前記浮体部材或いは前記多数浮体部材及び前記海中中空部材の浮力に
より前記上部浮体構造体の重量を支えることを特徴とする請求項２０〜２２のいずれか一項に記載の海上浮体構造物或いは洋上浮体構造物
【請求項２３】
（旧請求項４１）
前記上部浮体構造体の上部の一部が土で構成された農地で構成することを特徴とする
請求項２０〜２２のいずれか一項に記載の海上浮体構造物或いは洋上浮体構造物
【請求項２４】
（旧請求項４２）
前記上部浮体構造体の上部の一部が植物育成床で構成することを特徴とする請求項２０〜２２のいずれか一項に記載の海上浮体構造物或いは洋上浮体構造物